(57)【要約】【課題】掛金の破壊等、錠の異常状態を比較的シンプルな構成で検出でき、しかも電気配線を施すことができない対象物に対しても使用できる錠の異常検出装置を提供する。【解決手段】錠本体６から突設する掛金７、錠本体６の内部に配設された錠前機構８、及び掛金７に形成された挿通孔９を備えた錠ユニット２と、錠ユニット２から離れた箇所に配置される筐体内に配設され、錠ユニット２側へ光を投光する発光素子、錠ユニット２側から戻ってくる光の光量を検出する受光センサ、及び検出される光量が所定値以下になったとき、異常状態と判定する異常状態判定手段を備えた異常監視ユニットとを備える。また、発光素子から投光された光を錠本体６及び挿通孔９を通って掛金７の一端１１まで搬送する送光用光ファイバー４０、及び掛金７が閉位置の際、送光用光ファイバー４０から放射された光を受光センサまで搬送する受光用光ファイバー４１を備える。【選択図】図２
2013133625.tif 000002
【特許請求の範囲】
【請求項１】
箱状の錠本体、
該錠本体の外部に配置されるとともに、少なくとも一端及び他端が前記錠本体の内部に挿入された閉位置と、前記一端が前記錠本体から離れた開位置との間で移動可能な掛金、
前記錠本体の内部に、前記掛金に噛合い該掛金を前記閉位置に保持する保持位置と、前記掛金の保持状態を解除する解除位置との間で移動可能に支持され、開錠操作によって前記保持位置から前記解除位置に変位するロック部材を有する錠前機構、
及び、前記掛金に形成され前記一端から前記他端まで貫通する挿通孔、を備えた錠ユニットと、
該錠ユニットから離れた箇所に配置される筐体、
該筐体内に配設され、前記錠ユニット側へ光を投光する発光素子、
前記筐体内に配設され、前記錠ユニット側から戻ってくる光の光量を検出する受光センサ、
及び、該受光センサによって検出される光量が所定値以下になったとき、異常状態と判定する異常状態判定手段、を備えた異常監視ユニットと、
光が入射される入射端が前記発光素子に対向し、光が放射される放射端が前記掛金の前記一端に位置するように、前記錠本体の内部及び前記掛金の前記挿通孔を通って配設され、前記入射端から入射された光を前記放射端まで搬送する送光用光ファイバー、
及び、前記掛金が前記閉位置の際、前記送光用光ファイバーの前記放射端から放射された光を受取り、該光を前記受光センサまで搬送する受光用光ファイバー、を備えた光回路と
を具備することを特徴とする錠の異常検出装置。
【請求項２】
前記送光用光ファイバーは、
前記発光素子から前記掛金の前記他端まで配設された第一光ファイバーと、
前記掛金の前記他端から前記一端まで配設され、前記掛金が前記閉位置の際、前記第一光ファイバーに連通する第二光ファイバーと
に分割されている
ことを特徴とする請求項１に記載の錠の異常検出装置。
【発明の詳細な説明】
【技術分野】
【０００１】
本発明は、錠の異常検出装置に関するものであり、特に、錠に対して不当な破壊操作が行われたことを検出する錠の異常検出装置に関するものである。
【背景技術】
【０００２】
重油を貯える燃料タンクとして、図４に示すものが知られている。この種の燃料タンク５０は、円筒状のタンク本体５１を備えるとともに、その上面には給油口５２及び点検口５３が設けられ、下部には送油口５４が設けられている。また、点検口５３は比較的大きな開口からなり、蓋部材５５によって塞がれている。
【０００３】
ところで、重油をビニールハウスの暖房用として使用する場合には、上記の燃料タンク５０を、ビニールハウスの横など屋外に設置することになるが、このような場所は人通りが少ないことから防犯上安全な場所とは言えず、燃料タンク５０に貯えられた重油が盗まれるという被害が全国で相次いでいる。
【０００４】
そこで、防犯対策の一つとして、南京錠６０によって施錠することが行われている。詳しくは、蓋部材５５に錠穴５６が形成されており、蓋部材５５を閉じた際、蓋部材５５の錠穴５６がタンク本体５１側に形成された錠穴５７に合致するようになっている。つまり、錠穴５６，５７を合わせた状態で、南京錠６０の掛金６１（いわゆる「弦（つる）」と呼ばれる部分）を引掛けて施錠することにより、蓋部材５５の不正な開放を防止することが可能になっている。
【発明の概要】
【発明が解決しようとする課題】
【０００５】
しかし、このように南京錠６０によって施錠した場合でも、重油の盗難を確実に阻止することができなかった。具体的には、南京錠６０の掛金６１を工具等によって切断（破壊）することで錠穴５６，５７から南京錠６０を取外すという行為が行われる場合があった。
【０００６】
ところで、このような行為による盗難を阻止するために、南京錠６０が破壊されたことを検出する装置、例えば特許文献１に示すような異常検出装置を取付けることが望まれているが、燃料タンクでは、消防法の規制によりタンク自体に電気設備や配線を施すことが禁止されているため、その検出が困難となっていた。
【０００７】
そこで、本発明は、上記の実状に鑑み、掛金の破壊等、錠の異常状態を比較的シンプルな構成で検出でき、しかも燃料タンク等、電気配線を施すことができない対象物に対しても使用できる錠の異常検出装置を提供することを課題とするものである。
【課題を解決するための手段】
【０００８】
本発明の錠の異常検出装置は、
「箱状の錠本体、
該錠本体の外部に配置されるとともに、少なくとも一端及び他端が前記錠本体の内部に挿入された閉位置と、前記一端が前記錠本体から離れた開位置との間で移動可能な掛金、
前記錠本体の内部に、前記掛金に噛合い該掛金を前記閉位置に保持する保持位置と、前記掛金の保持状態を解除する解除位置との間で移動可能に支持され、開錠操作によって前記保持位置から前記解除位置に変位するロック部材を有する錠前機構、
及び、前記掛金に形成され前記一端から前記他端まで貫通する挿通孔、を備えた錠ユニットと、
該錠ユニットから離れた箇所に配置される筐体、
該筐体内に配設され、前記錠ユニット側へ光を投光する発光素子、
前記筐体内に配設され、前記錠ユニット側から戻ってくる光の光量を検出する受光センサ、
及び、該受光センサによって検出される光量が所定値以下になったとき、異常状態と判定する異常状態判定手段、を備えた異常監視ユニットと、
光が入射される入射端が前記発光素子に対向し、光が放射される放射端が前記掛金の前記一端に位置するように、前記錠本体の内部及び前記掛金の前記挿通孔を通って配設され、前記入射端から入射された光を前記放射端まで搬送する送光用光ファイバー、
及び、前記掛金が前記閉位置の際、前記送光用光ファイバーの前記放射端から放射された光を受取り、該光を前記受光センサまで搬送する受光用光ファイバー、を備えた光回路と
を具備する」ことを特徴とするものである。
【０００９】
ここで、「掛金」は、中央部分が錠本体から最も突出するように逆Ｕ字形に形成されたものを例示することができるが、例えば錠本体を門形に形成すれば、掛金を直線状に形成することもできる。つまり、掛金が閉位置の際に錠本体に対して閉状態となる形状であれば、どのような形状であってもよい。
【００１０】
また「錠前機構」は、施錠操作時及び開錠操作時のいずれも鍵を必要とする構成としてもよく、開錠操作時のみ鍵を必要とし、施錠操作時のときは掛金を錠本体に手動で押込むことによりロックされる構成としてもよい。なお、ロック部材を有する錠前機構としては、直線移動する閂が掛金に噛合うことで施錠されるレバータンブラー錠、または回転するディスクが掛金に噛合うことで施錠されるディスクタンブラー錠を挙げることができる。
【００１１】
「異常監視ユニット」が配置される場所は、特に限定されるものではないが、筐体内に収容された基板などが雨によって故障しないように屋内に配置することが好ましい。特に、錠ユニットに対して不正な操作（例えば掛金の破壊）をしようとする者が容易に操作（電源を切ったりすること）ができない箇所が適している。
【００１２】
「発光素子」としては、例えば発光ダイオードを用いることができる。なお、投光する光の色は特に限定されるものではない。また、「送光用光ファイバー」及び「受光用光ファイバー」は、コアと呼ばれる高屈折率領域、及びコアを取り囲む低屈折率のグラッドからなる二重構造の透明な繊維から構成することができる。またそれらを被覆樹脂で覆って三重構造とするようにしてもよい。
【００１３】
本発明の錠の異常検出装置によれば、錠ユニットから離れた箇所に異常監視ユニットが配設され、錠ユニットと異常監視ユニットとが光回路を介して接続されている。異常監視ユニットには、筐体内に発光素子が設けられており、その発光素子から放射された光は、光回路の送光用光ファイバーによって錠ユニットまで搬送される。ここで、送光用光ファイバーは、放射端が錠ユニットにおける掛金の一端（開閉端）に位置するように、錠本体の内部及び掛金の挿通孔を通って配設されているため、発光素子から放射された光は、掛金の内部を通り掛金の一端から放射されることになる。また、光回路には、錠ユニットから異常監視ユニットへ光を戻す受光用光ファイバーが設けられており、掛金が閉位置になると、送光用光ファイバーの放射端と受光用光ファイバーの入射端とが対向することで、送光用光ファイバーから放射された光は、受光用光ファイバーを介して異常監視ユニットへ戻される。
【００１４】
異常監視ユニットの筐体内には、受光用光ファイバーの放射端に対向して受光センサが配設されており、戻された光の光量が受光センサによって検出される。そして、検出される光量が所定値以下になったとき、異常状態判定手段によって異常状態と判定される。
【００１５】
したがって、掛金が破壊されることなく閉位置となっていれば、発光素子から投光された光はあまり減衰されずに受光センサ側に戻るため、正常と判定される。一方、掛金を破壊するという不正な行為が行われた場合には、光回路の途中で光の搬送が途切れたり大幅に減衰したりすることとなり、異常状態と判定される。
【００１６】
なお、送光用光ファイバー及び受光用光ファイバーは、夫々別々に設けられているため、掛金の一端を錠本体から離して開位置とすること、すなわち掛金を施錠対象物に引掛けることが可能である。
【００１７】
また、本発明によれば、錠ユニット及び異常監視ユニットは光回路を介して接続されており、錠ユニットの付近に電気回路が存在しないため、燃料タンク等、電気配線を施すことができない対象物に対しても錠ユニットを使用することができる。
【００１８】
本発明の錠の異常検出装置において、
「前記送光用光ファイバーは、
前記発光素子から前記掛金の前記他端まで配設された第一光ファイバーと、
前記掛金の前記他端から前記一端まで配設され、前記掛金が前記閉位置の際、前記第一光ファイバーに連通する第二光ファイバーと
に分割されている」構成を採用することができる。
【００１９】
これによれば、送光用光ファイバーは、第一光ファイバーと第二光ファイバーとに分割されており、第一光ファイバーは、発光素子から掛金の他端まで配設されている。また、第二光ファイバーは、掛金の挿通孔内に配設されており、掛金が閉位置になると、第一光ファイバーに連通し、第一光ファイバーから放射された光を受取ることが可能になる。つまり、掛金が閉位置になると発光素子から投光された光が掛金の一端まで搬送される。
【００２０】
また、異常監視ユニット及び錠ユニットを繋ぐ第一光ファイバーと、掛金の挿通孔内に配設された第二光ファイバーとは、互いに連結されておらず夫々別々に設けられているため、掛金が閉位置から開位置に変化する際、掛金の動きが送光用光ファイバーによって制限されたり、送光用光ファイバーに大きな張力が加わったりすることを防止できる。
【発明の効果】
【００２１】
以上のように、本発明によれば、掛金の破壊等、錠の異常状態を比較的シンプルな構成で検出でき、しかも電気配線を施すことができない対象物に対しても使用できる。
【図面の簡単な説明】
【００２２】
【図１】本発明の一実施形態である錠の異常検出装置の概略構成を示す説明図である。
【図２】錠ユニットの内部構成を示す断面図であり、（ａ）は施錠状態、（ｂ）は開錠状態を示している。
【図３】異常監視ユニットにおける機能的構成を示すブロック図である。
【図４】燃料タンクの正面図である。
【発明を実施するための形態】
【００２３】
以下、本発明の実施形態である錠の異常検出装置１（以下、単に「異常検出装置１」という）について説明する。図１に示すように、本実施形態の異常検出装置１は、燃料タンク５０（図４参照）の蓋部材５５等の施錠対象物に装着される錠ユニット２と、錠ユニット２から離れた室内（例えばハウスの内部）に配設される異常監視ユニット３と、錠ユニット２及び異常監視ユニット３を接続する光回路４とを備えて構成されており、錠ユニット２に対して不正な破壊操作、または鍵を使わずに開錠するピッキング行為が行われたことを、異常監視ユニット３において検出し報知することが可能になっている。
【００２４】
錠ユニット２は、図２に示すように、箱状の錠本体６と、錠本体６の上面から突設し燃料タンク５０（図４参照）の錠穴５６，５７に引掛け可能な掛金７と、錠本体６の内部に配設され、錠本体６に対して掛金７を閉位置及び開位置に切替える錠前機構８とを備えている。つまり、図２（ａ）に示す施錠状態では、掛金７と錠前機構８とが噛合うことで掛金７が閉位置に保持され、一方、図２（ｂ）に示す開錠状態では、掛金７の一端１１が錠本体６から離れ開位置となるように構成されている。
【００２５】
錠ユニット２についてさらに詳しく説明する。錠本体６の正面には鍵Ｋが差し込まれる鍵穴２０（図１参照）が設けられている。また、錠本体６の上面には、掛金７の両端部分が夫々挿通する一対の挿入孔（図示しない）が形成され、錠本体６の底面には、光回路４が挿通する一対の透孔（図示しない）が形成されている。また、錠本体６の内部には、掛金７を上下方向に摺動可能に支持するとともに掛金７の移動範囲を制限する円筒状の支持部１７が設けられている。
【００２６】
掛金７は、正面視が略逆Ｕ字形で、他端１２が一端１１よりも下方に延出された形状となっている。そして、掛金７が閉位置の場合には、図２（ａ）に示すように、一端１１及び他端１２は、いずれも錠本体６の内部に挿入され、錠本体６に対して閉位置となるが、掛金７が開位置の場合には、図２（ｂ）に示すように、掛金７が上方へ移動し、錠本体６の上面と一端１１との間に隙間が形成され、錠本体６に対して開位置となる。また、掛金７における他端１２側の周面には、径方向に張出す円環状の上側環状突起部１３が形成されており、上側環状突起部１３と支持部１７の底面との間に介装されたスプリング１６によって掛金７は上方へ付勢されている。また、上側環状突起部１３の下方には、同じく径方向に張出す円環状の下側環状突起部１４が形成されており、後述する錠前機構８と噛合うことで掛金７が閉位置に保持されるようになっている。また、掛金７には、一端１１から他端１２まで貫通する挿通孔９が形成されており、後述する送光用光ファイバー４０が挿入されている。なお、掛金７の材質は特に限定されるものではないが、鉄、鋼、または真鍮等を例示することができる。
【００２７】
錠前機構８は、ベース部材８ｂを介して錠本体６に支持され軸部２１ｂを中心に揺動可能な板状のタンブラー２１と、左右方向に摺動して下側環状突起部１４に噛合うことが可能な閂２２とを備えており、タンブラー２１にはＨ型の溝部２１ａが形成され、閂２２には溝部２１ａに嵌込まれる突起２２ａが備えられている。これによれば、施錠状態において、鍵Ｋを鍵穴２０に差込み回転させると、タンブラー２１が押し下げられる。そして、これに伴い、閂２２の突起２２ａがタンブラー２１の溝部２１ａ内を移動可能となることから、閂２２は、バネ（図示しない）によって押され、下側環状突起部１４に噛合う位置（保持位置）（図２（ａ）参照）から、噛合わない位置（解除位置）（図２（ｂ）参照）に変化するようになっている。なお、閂２２が下側環状突起部１４に噛合わなくなると、スプリング１６の付勢力によって掛金７は上方（開位置）へ移動し開錠状態となる。ここで、閂２２が本発明のロック部材に相当する。
【００２８】
一方、異常監視ユニット３は、図１及び図３に示すように、箱状の筐体２４と、報知手段であるブザー３６及び音声出力手段３７とを備えている。また、筐体２４の前面には、ＯＮ状態に切替えることにより筐体２４内に電力を供給する電源スイッチ２６と、ブザー３６または音声出力手段３７のいずれか一方を選択する切替スイッチ２７と、異常状態が発生した際の報知継続時間を設定するタイマー設定手段２８と、異常監視ユニット３の運転状態を点灯または点滅によって知らせる表示ランプ２９とを備えている。
【００２９】
また、筐体２４内には、光回路４を介して錠ユニット２側へ光を投光する発光素子３１（具体的にはＬＥＤ）と、発光素子３１を常時点灯させる発光駆動回路３２と、錠ユニット２側から光回路４を介して戻ってくる光の光量を検出する受光センサ３３と、受光センサ３３によって検出される光量が所定量以下になったとき異常状態と判定する異常状態判定回路３４と、異常状態判定回路３４によって異常と判定された際、ブザー３６または音声出力手段３７のいずれか一方（切替スイッチ２７によって選択された側）を、タイマー設定手段２８によって設定された時間の間、継続して動作させる異常報知回路３５とを備えている。なお、図示しないが、受光センサ３３は、フォトセンサ、及び抵抗等を備えて構成され、異常状態判定回路３４は、コンパレータ、及び抵抗等を備えて構成されている。ここで、異常状態判定回路３４が本発明の異常状態判定手段に相当する。
【００３０】
一方、光回路４は、図１乃至図３に示すように、異常監視ユニット３から錠ユニット２側に光を送る送光用光ファイバー４０と、錠ユニット２から異常監視ユニット３へ光を戻す受光用光ファイバー４１とから構成されている。送光用光ファイバー４０は、光が入射される入射端４０ａが異常監視ユニット３の発光素子３１に対向し、光が放射される放射端４０ｂが掛金７の一端１１に位置するように、錠本体６の内部及び掛金７の挿通孔９を通って配設されており、入射端４０ａに入射された発光素子３１の光を放射端４０ｂまで搬送するようになっている。受光用光ファイバー４１は、掛金７が閉位置の際、送光用光ファイバー４０の放射端４０ｂから放射された光を受取り、その光を受光センサ３３まで搬送するようになっている。なお、受光用光ファイバー４１の入射端４１ａは、送光用光ファイバー４０の放射端４０ｂから放射された光を減衰させることなく受取るように、支持ソケット４４によって精度よく位置決めされている。
【００３１】
また、本例の送光用光ファイバー４０は、第一光ファイバー４２と第二光ファイバー４３とに分割されている。第一光ファイバー４２は、光が入射される第一入射端４２ａが発光素子３１に対向し、光が放射される第一放射端４２ｂが錠本体６の内部で支持ソケット４４によって固定されている。第二光ファイバー４３は、光が入射される第二入射端４３ａが掛金７の他端１２に位置し、光が放射される第二放射端４３ｂが掛金７の一端１１に位置するように、掛金７の挿通孔９内に配設されている。つまり、掛金７が閉位置になると、第二光ファイバー４３の第二入射端４３ａが第一光ファイバー４２の第一放射端４２ｂと対向し、互いに連通するようになっている。また、第一光ファイバー４２は、錠本体６の内部に配置される内部ファイバー４２ｃと錠本体６の外部（異常監視ユニット３と錠本体６との間）に配置される外部ファイバー４２ｄとからなり、錠本体６の底面に取着されたコネクタ４５を介して接続されている。また、同様に、受光用光ファイバー４１も、錠本体６の内部に配置される内部ファイバー４１ｃと錠本体６の外部に配置される外部ファイバー４１ｄとからなり、コネクタ４５を介して接続されている。なお、外部ファイバー４１ｄ，４２ｄが内部ファイバー４１ｃ，４２ｃから容易に外れないように係止具（図示しない）によって係止するようにしてもよい。
【００３２】
なお、図示しないが、第一光ファイバー４２、第二光ファイバー４３、及び受光用光ファイバー４１は、高屈折率であるコアと、コアを取り囲む低屈折率のグラッドと、グラッドを覆う被覆樹脂とからなり、三重構造となっている。
【００３３】
次に、本実施形態の異常検出装置１の作用について説明する。異常監視ユニット３では、発光素子３１を動作させて光を投光するとともに、受光用光ファイバー４１により搬送された（戻された）光の光量を受光センサ３３によって常時検出し、その光量が所定値以下になったとき、異常状態と判定するようになっている。
【００３４】
発光素子３１から投光された光は、送光用光ファイバー４０の一部である第一光ファイバー４２によって錠本体６の内部まで搬送される。また、掛金７が閉位置の場合には、第一光ファイバー４２及び第二光ファイバー４３は互いに連通するため、発光素子３１から投光された光は、第二光ファイバー４３によって掛金７の一端１１まで搬送される。また、掛金７が閉位置の場合、第二光ファイバー４３及び受光用光ファイバー４１も互いに連通するため、第二光ファイバー４３の第二放射端４３ｂから放射された光は、受光用光ファイバー４１によって受光センサ３３まで搬送される。
【００３５】
ここで、錠ユニット２に異常が発生していない場合には、光の減衰が小さいことから、受光センサ３３によって検出される光量は所定値よりも大きくなる。したがって、正常と判定され、ブザー３６または音声出力手段３７は動作しない。
【００３６】
一方、掛金７を工具等によって切断（破壊）するという不正な行為が行われた場合、またはピッキング行為によって不正に開錠された場合には、第一光ファイバー４２または第二光ファイバー４３の途中、もしくは第二光ファイバー４３と受光用光ファイバー４１との間で光の搬送が途切れたり大幅に減衰したりするため、受光センサ３３によって検出される光量は所定値以下となる。したがって、異常状態と判定され、ブザー３６または音声出力手段３７によって報知される。
【００３７】
なお、管理者が鍵Ｋを使って開錠する場合には、異常監視ユニット３に設けられた電源スイッチ２６をオフ状態とすればよい。これによれば、ブザー３６または音声出力手段３７を動作させることなく、掛金７を開位置とすることができる。
【００３８】
このように、本実施形態の異常検出装置１によれば、錠ユニット２の掛金７が破壊されたこと、またはピッキング行為がなされたことを、比較的シンプルな構成で検出することができ、燃料タンク５０に貯えられた重油等の盗難を確実に防止することが可能となる。
【００３９】
また、本実施形態の異常検出装置１によれば、錠ユニット２及び異常監視ユニット３は光回路４を介して接続されており、錠ユニット２の付近に電気回路が存在しないため、電気配線を施すことができない対象物に対しても錠ユニット２を使用することができる。
【００４０】
さらに、本実施形態の異常検出装置１によれば、送光用光ファイバー４０は、第一光ファイバー４２及び第二光ファイバー４３に分割されているため、掛金７が閉位置から開位置に変化する際、掛金７の動きが送光用光ファイバー４０によって制限されたり、送光用光ファイバー４０に大きな張力が加わったりすることを防止できる。
【００４１】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４２】
すなわち、上記実施形態の異常検出装置１では、施錠対象物としては、燃料タンク５０の点検口５３を示したが、給油口５２または送油口５４等、燃料タンク５０の他の部分、もしくは施錠が必要な燃料タンク以外のものを対象として使用してもよい。また、施錠の目的は、盗難防止に限定されるものではなく、浸入防止や使用防止であってもよい。
【００４３】
また、上記実施形態の異常検出装置１では、報知手段として筐体２４内にブザー３６及び音声出力手段３７を備えるものを示したが、いずれか一方の報知手段のみを備えるようにしてもよい。また、ブザー３６及び／または音声出力手段３７を、異常監視ユニット３とは別の外部装置として設けるようにしてもよい。また、異常状態と判定した際、電話回線を介して、または無線で、管理者の端末装置（例えば一般電話、携帯電話、またはパソコン等）へ通報するように構成してもよい。さらに、異常監視ユニット３のうち、少なくとも発光素子３１及び受光センサ３３を錠ユニット２の近くに配置し、異常監視ユニット３の残りの部分（少なくとも報知手段を含む）を錠ユニット２から離れた室内（例えばハウスの内部）に配置するようにしてもよく、これによれば、光回路４の長さを極力短くすることができ、ひいては安価に構成することが可能となる。
【００４４】
また、上記実施形態の異常検出装置１では、異常状態判定回路３４は、受光センサ３３によって検出される光量が所定値以下になった場合、速やかに異常状態と判定するものを示したが、光量が所定値以下になった状態が所定時間（例えば３秒）継続した場合に、異常状態と判定するようにしてもよい。
【００４５】
また、上記実施形態の異常検出装置１では、異常状態判定手段として異常状態判定回路３４を示したが、記憶装置及び中央処理装置等を有するマイクロコンピュータを備え、記憶装置に記憶されたプログラムを中央処理装置に実行させ、受光量を所定値と対比させることにより、異常状態か否かを判定してもよい。
【００４６】
また、上記実施形態の異常検出装置１では、送光用光ファイバー４０を第一光ファイバー４２と第二光ファイバー４３とに分割するものを示したが、送光用光ファイバー４０全体を一本の光ファイバーで構成してもよい。この際、筐体２４内において送光用光ファイバー４０に遊びを持たせて（例えば送光用光ファイバー４０を撓ませて）配置しておけば、掛金７の動きが送光用光ファイバー４０によって制限されたり、送光用光ファイバー４０に大きな張力が加わったりすることを抑制できる。
【００４７】
さらに、上記実施形態の異常検出装置１では、管理者に通報するためのブザー３６及び音声出力手段３７を備えるものを示したが、掛金７を破壊した者を威嚇するために、異常監視ユニット３とは別にブザー（図示しない）を備えるようにしてもよい。
【符号の説明】
【００４８】
１  錠の異常検出装置
２  錠ユニット
３  異常監視ユニット
４  光回路
６  錠本体
７  掛金
８  錠前機構
９  挿通孔
１１  一端
１２  他端
２２  閂（ロック部材）
２４  筐体
３１  発光素子
３３  受光センサ
３４  異常状態判定回路（異常状態判定手段）
４０  送光用光ファイバー
４０ａ  入射端
４０ｂ  放射端
４１  受光用光ファイバー
４２  第一光ファイバー
４３  第二光ファイバー
【先行技術文献】
【特許文献】
【００４９】
【特許文献１】特開２００１−６５２０６号公報
【図１】
2013133625.tif 000003
【図２】
2013133625.tif 000004
【図３】
2013133625.tif 000005
【図４】
2013133625.tif 000006